(57)【要約】【課題】  テレビ放送の方式等を大きく変更することなしに、ＣＭ映像を視聴した視聴者だけが番組情報（本映像）を視聴することができる録画・再生装置を提供する。【解決手段】  本発明に係る録画・再生装置１０を、少なくとも一組のＣＭ映像３３と本映像３５とが連続して構成される番組情報３０を受信して記憶するＨＤＤ１４と、このＨＤＤ１４に記憶された番組情報３０を読み出す読み出し部１５と、読み出し部１５により読み出された番組情報３０を再生する再生部１７と、番組情報３０のＣＭ映像３３が再生部１７により所定の時間再生されたときにのみ、本映像３５の再生部１７による再生を許容する制御部１６とから構成する。【選択図】  図２
2006054792.tif 000002
【特許請求の範囲】
【請求項１】
少なくとも一組のＣＭ映像と本映像とが連続して構成される番組情報を受信して記憶する記憶部と、
前記記憶部に記憶された前記番組情報を読み出す読み出し部と、
前記読み出し部により読み出された前記番組情報を再生する再生部と、
前記番組情報の前記ＣＭ映像が前記再生部により所定の時間再生されたときにのみ、前記本映像の前記再生部による再生を許容する制御部とを有することを特徴とする録画・再生装置。
【請求項２】
前記番組情報が前記ＣＭ映像の再生時間情報を有し、
前記制御部が、前記再生時間情報を前記所定の時間として前記本映像の再生を許容するか否かを判断するように構成されたことを特徴とする請求項１に記載の録画・再生装置。
【請求項３】
少なくとも一組の連続したＣＭ映像及び本映像、前記ＣＭ映像が対応する前記本映像を示すＣＭ用番組情報、前記本映像を識別する本映像用番組情報、並びに、前記ＣＭ映像の再生時間情報から構成される番組情報を受信して記憶する記憶部と、
前記記憶部に記憶された前記番組情報を読み出す読み出し部と、
前記読み出し部により読み出された前記番組情報から前記ＣＭ映像及び前記本映像を再生する再生部と、
前記ＣＭ映像が前記再生部により前記再生時間情報に対応する時間再生されて、且つ、前記ＣＭ用番組情報と前記本映像用番組情報とが一致したときにのみ、前記本映像の前記再生部による再生を許容する制御部とを有することを特徴とする録画・再生装置。
【請求項４】
前記本映像がスクランブルされており、
前記番組情報が前記本映像のスクランブルを解除する鍵情報を含み、
前記制御部が前記本映像の再生を許容するときに前記鍵情報により前記本映像のスクランブルを解除するように構成されたことを特徴とする請求項１〜３のいずれかに記載の録画・再生装置。
【請求項５】
前記制御部が、前記番組情報の再生回数を記憶し、前記再生回数が所定の回数を超えたときに、前記ＣＭ映像を再生しなくても前記本映像の前記再生部での再生を許容するように構成されたことを特徴とする請求項１〜４のいずれかに記載の録画・再生装置。
【請求項６】
前記制御部が、前記番組情報の再生回数を記憶し、前記再生回数が所定の回数を超えたときに、前記記憶部に記憶された前記番組情報から前記ＣＭ映像を削除するとともに、前記ＣＭ映像を再生しなくても前記本映像の前記再生部での再生を許容するように構成されたことを特徴とする請求項１〜４のいずれかに記載の録画・再生装置。
【発明の詳細な説明】
【技術分野】
【０００１】
本発明は、テレビ放送等による番組情報を録画し、再生する録画・再生装置に関する。
【背景技術】
【０００２】
情報処理能力の向上、映像のデジタル化技術の進歩、及び、記憶媒体の高密度化・高容量化に伴いテレビ放送等による番組情報をデジタル化して記憶媒体（例えば、ハードディスクやＤＶＤ）に録画する録画・再生装置が普及しはじめている（例えば特許文献１参照）。ハードディスクを記憶媒体にした録画・再生装置の場合、従来のビデオテープを用いたものと異なり、記憶媒体を交換することなしに長時間の映像を録画することができる。そのため、テレビ放送がされているときに番組を視聴するよりも、録画予約機能により録画しておいて、時間のあるときにまとめて視聴するという視聴者が増えてきている。
【０００３】
【特許文献１】特開２００４−２３５８８号公報
【発明の開示】
【発明が解決しようとする課題】
【０００４】
このように、録画・再生装置に録画された番組を視聴する場合、番組中に挿入されているコマーシャル映像（以下、「ＣＭ映像」と呼ぶ）を、録画装置が備える早送り再生機能等で早送りして（飛ばして）視聴しない場合が多くなる。しかしながら、多くのテレビ番組はＣＭを放送し、それを番組の視聴者が視聴することを前提にした収入で製作されている。すなわち、視聴者は番組に対して視聴料を払うことなしに番組を視聴することができる。そのため、多くの視聴者が録画・再生装置に番組を録画してから視聴することにより、ＣＭ映像の部分を飛ばして視聴しなくなると、番組製作者（テレビ局）は収入が断たれることとなり、ひいては視聴者が無料でテレビ番組を見ることができなくなるという課題があった。
【０００５】
本発明は、このような課題に鑑みてなされたものであり、テレビ放送の方式等を大きく変更することなしに、ＣＭ映像を視聴した視聴者だけが本映像（番組）を視聴することができる録画・再生装置を提供すること目的とする。
【課題を解決するための手段】
【０００６】
前記課題を解決するために、第１の本発明に係る録画・再生装置は、少なくとも一組のＣＭ映像と本映像とが連続して構成される番組情報を受信して記憶する記憶部（例えば、実施形態におけるＨＤＤ１４）と、この記憶部に記憶された番組情報を読み出す読み出し部と、読み出し部により読み出された番組情報を再生する再生部と、番組情報のＣＭ映像が再生部により所定の時間再生されたときにのみ、本映像の再生部により再生を許容する制御部とを有して構成される。
【０００７】
このとき、番組情報がＣＭ映像の再生時間情報（例えば、実施形態におけるＣＭ属性情報３２）を有し、制御部が、この再生時間情報を所定の時間として本映像の再生を許容するか否かを判断するように構成されることが好ましい。
【０００８】
あるいは、第２の本発明に係る録画・再生装置は、少なくとも一組の連続したＣＭ映像及び本映像、ＣＭ映像が対応する本映像を示すＣＭ用番組情報（例えば、実施形態における番組コード３２ａ）、本映像を識別する本映像用番組情報（例えば、実施形態における番組コード３５ａ）、並びに、ＣＭ映像の再生時間情報（例えば、実施形態における再生時間３２ｂ）から構成される番組情報を受信して記憶する記憶部と、この記憶部に記憶された番組情報を読み出す読み出し部と、読み出し部により読み出された番組情報からＣＭ映像及び本映像を再生する再生部と、ＣＭ映像が再生部により再生時間情報に対応する時間再生されて、且つ、ＣＭ用番組情報と本映像用番組情報とが一致したときにのみ、本映像の再生部による再生を許容する制御部とを有して構成される。
【０００９】
このような第１及び第２の本発明に係る録画・再生装置においては、本映像がスクランブルされており、番組情報が本映像のスクランブルを解除する鍵情報を含み、制御部が本映像の再生を許容するときに鍵情報により本映像のスクランブルを解除するように構成されることが好ましい。
【００１０】
なお、制御部が、番組情報の再生回数を記憶し、再生回数が所定の回数を超えたときに、ＣＭ映像を再生しなくても本映像の再生部での再生を許容するように構成するか、若しくは、記憶部に記憶された番組情報からＣＭ映像を削除してＣＭ映像を再生しなくても本映像の再生部での再生を許容するように構成することができる。
【発明の効果】
【００１１】
本発明に係る録画・再生装置を以上のように構成すると、この録画・再生装置に録画された番組情報を再生する場合は、所定の時間だけＣＭ映像を再生しないと本映像を再生して視聴することができないため、番組提供者はＣＭ映像が視聴されることが担保される。このとき、ＣＭ映像と本映像のそれぞれに、本映像を識別するための番組情報を持たせて、本映像を再生するときにこれらの番組情報が一致するかを調べることにより、不正な手段により本映像が再生されることを防止することができる。また、本映像をスクランブルしておくことにより、不正な手段により本映像が再生されることを防止することができる。さらに、所定の回数だけＣＭ映像を再生すると、その後はＣＭ映像を再生しなくても本映像を視聴することができるように構成することにより、ＣＭ映像の再生の効果を得た後は、視聴者は、このＣＭ映像を再生しなくても本映像だけを見ることができる。
【発明を実施するための最良の形態】
【００１２】
以下、本発明の好ましい実施形態について図面を参照して説明する。本発明に係る録画・再生装置は、放送局から送信される電波に搬送された番組情報に、ＣＭ映像の再生時間等の制御情報を付加して送信し、その番組情報を受信して録画した側（すなわち、本発明に係る録画・再生装置）で、予定した時間通りにこのＣＭ映像が再生されたかを監視して以降に続く本映像（番組）を再生するか否かを制御するものである。なお、本実施例においては基本的に電波によるテレビ放送（いわゆる地上波アナログ放送）を例に説明を行うが、本発明がこの実施形態に限定されることはなく、デジタル放送（地上波デジタル放送、衛星デジタル放送）やＣＡＴＶ等の有線放送、若しくは、インターネットによるストリーミング放送等にも適用することができる。
【実施例１】
【００１３】
まず、第１実施例について図１〜３を用いて説明する。本第１実施例において、放送局から送信される電波で搬送される番組情報３０は、図１（ａ）に示すようなデータ構造となっており、ＣＭ映像３３の開始を検出するための開始情報３１、ＣＭ映像３３の対応する本映像３５の番組コードや再生時間等が設定されたＣＭ属性情報３２、ＣＭ映像３３、ＣＭ映像３３の終了を検出するための終了情報３４、本映像（本来の番組映像）３５の番組コード等が設定された本属性情報３４、及び、本映像３６から構成されている。
【００１４】
これらの開始情報３１、ＣＭ属性情報３２、終了情報３４、及び、本属性情報３５等の制御情報は、図１においては説明の都合上、映像信号（ＣＭ映像３３、本映像３６）と連続したデータとして表現されているが、例えば、テレビ放送においては、画像のフレームとフレームの間に挿入される一定の空白部分であるＶＢＩ(Vertical Blanking Interval)等を用いて送信することができ、これにより、従来のテレビ放送のための送受信装置（技術）を用いることができる。このとき、映像信号に対応する音声信号は別の電波で送信される。また、このような映像及び音声信号等からなる番組情報３０をデジタル放送（有線放送やインターネット放送を含む）で送信する場合は、映像信号及び音声信号とは別に設けられたデータ信号の部分に上記制御情報が載せられて、それらが符号化されたのち、パケット単位で送信される。
【００１５】
ここで、ＣＭ属性情報３２は、例えば、図１（ｂ）に示すようなデータ構造を有しており、少なくとも、ＣＭ映像３３に対応する本映像３６の番組コード３２ａ、ＣＭ映像３３の再生時間３２ｂを有して構成されている。一方、本属性情報３５は、少なくとも、本映像３６の番組コード３５ａを有して構成されている。
【００１６】
なお、図１（ａ）においては、１つのＣＭ映像３３と１つの本映像３６で構成された場合を示しているが、ＣＭ映像３３が本映像３６の間に複数挿入される場合は、図１のデータ構造を繰り返すこととなる（以降の実施例についても同様である）。また、上述のＣＭ属性情報３２にハッシュ情報３２ｃを有するように構成し、このハッシュ情報３２ｃにＣＭ映像３３のハッシュ情報（一方向関数によりＣＭ映像３３が変換された所定のビット数のデータ）等を入れておくことにより、ＣＭ映像３３の再生時にこの送信されたハッシュ情報と再生しようとするＣＭ映像３３のハッシュ情報を計算して比較することにより、録画された番組情報３０のＣＭ映像３３が改竄されて不正に再生されることを防止するように構成することもできる。
【００１７】
このようなデータ構造を有する番組情報３０に対応した本実施例に係る録画・再生装置１０は、図２に示すように、放送局からの電波を受信するアンテナ１１、このアンテナ１１で受信した電波を復調して（デジタル放送の場合はさらにデコードして）映像・音声及び制御情報にする受信部１２、受信した映像・音声及び制御情報を記憶装置（例えば、ハードディスク（ＨＤＤ））１４に記憶する記憶部１３、ＨＤＤ１４に記憶された映像・音声及び制御情報を読み出す読み出し部１５、読み出された映像情報及び音声情報を制御情報に従って後述する方法により再生するか否かを制御する制御部１６、映像及び音声を表示装置（例えばテレビ受像器）２０に出力して再生する再生部１７、及び、再生部１７で再生された映像及び音声の再生時間を計測する再生時間計測部１８から構成される。なお、アンテナ１１、受信部１２、記憶部１３、及び、ＨＤＤ１４は、従来のハードディスク型の録画装置と同様である。
【００１８】
それでは、ＨＤＤ１４に記憶された映像及び音声情報を再生する方法（ＨＤＤ１４に録画された番組情報３０を再生する方法）について、図３を合わせて用いて説明する。なお、本実施例においては、録画された複数の番組情報３０のうちどれを再生するかという選択等の録画装置に通常実装されている機能については、従来のハードディスク型の録画装置等と同様であるので、説明は省略する。
【００１９】
まず、読み出し部１５によりＨＤＤ１４から読み出された映像・音声情報（ＣＭ映像３３や本映像３６）及び制御情報（開始情報３１、ＣＭ属性情報３２、終了情報３４、及び、本属性情報３５）は制御部１６に渡される。そして、制御部１６は開始情報３１によりＣＭ映像３３の開始を検出すると（Ｓ１００）、ＣＭ属性情報３２から、本映像３６の番組コード３２ａとＣＭ映像３３の再生時間３２ｂ（以下、「予定再生時間」と呼ぶ）を取得する（Ｓ１０１）。そして、ＣＭ映像３３を再生部１７で再生して表示装置２０に出力する（映像と音声を同期させて出力する）とともに、この再生時間（以下、「実再生時間」と呼ぶ）を再生時間計測部１８で計測する（Ｓ１０２）。
【００２０】
ＣＭ映像３３の再生が終わり、制御部１６が終了情報３４によりＣＭ映像３３の終了を検出すると（Ｓ１０３）、再生時間計測部１８で計測されたＣＭ映像３３の実再生時間と、Ｓ１０１で属性情報３２から取得した予定再生時間とを比較する（Ｓ１０４）。実再生時間と予定再生時間とが不一致の場合（例えば、早送り再生機能でＣＭ映像３３を飛ばした場合）は、制御部１６は、本映像３６を再生できないというエラー情報を表示装置２０に出力する（Ｓ１０７）。一方、実再生時間と予定再生時間とが一致した場合は、ＣＭ属性情報３２に設定された番組コード３２ａと本属性情報３５に設定されている番組コード３５ａとを比較し（Ｓ１０５）、一致している場合は、続いて本映像３６を再生部１７で再生して表示装置２０に出力する（Ｓ１０６）。一方、番組コード３２ａ，３５ａが不一致の場合は、制御部１６は、本映像３６を再生できないというエラー情報を表示装置２０に出力する（Ｓ１０７）。
【００２１】
このように、映像情報（ＣＭ映像３３及び本映像３６）に制御情報（開始情報３１，属性情報３２及び終了情報３４）を付加することにより、ＣＭ映像３３が予定再生時間通り再生されたときだけ本映像３５を再生するように構成することができるため、番組製作者及び番組提供者（ＣＭ映像の依頼主）はＣＭ映像３３が再生されることが担保される。また、上述のように、これらの制御情報３１，３２，３４，３５は、番組情報（映像信号）のＶＢＩに載せることにより、従来の送受信装置を大きく変更することなしに、本実施例に係る録画・再生装置１０を実現することができる。さらに、ＣＭ映像３３を所定の時間再生したとしても、このＣＭ映像３３の制御情報（ＣＭ属性情報３２）に設定されている番組コード３２ａと本映像３６に設定されている番組コード３５ａとを比較することにより、不正な手段による本映像３６の再生を防止することができる。
【００２２】
また、このように制御情報３１，３２，３４，３５を番組情報３０のＶＢＩ等に載せると、ＨＤＤ１４に記憶しないで、通常のテレビ受像器を用いて放送と同時に視聴する場合（すなわち、ＣＭ映像を飛ばすことができない場合）は、これらの付加信号３１，３２，３４，３５を無視して再生することができるため、従来のテレビ受像器にも対応することができる。
【００２３】
なお、上記の実施例では本映像３６の最初に本属性情報３５（この本映像３６に対応した番組コード３５ａ）を送信してＣＭ属性情報３２に設定されている番組コード３２ａと比較することにより本映像３６を再生するか否かを制御部１６で制御するように構成していたが、図４に示すように、本映像３６に対して所定の時間間隔毎に本属性情報３５を送信するように構成し、制御部１６で本属性情報３５を検出する毎に番組コード３２ａ，３５ａの比較を行い、不一致の場合は以降の本映像３６の再生を停止するように構成することにより、更に細かいチェックをして本映像３６の不正再生を防止することができる。
【実施例２】
【００２４】
しかしながら、番組情報３０を、以上の第１実施例に示すようなデータ構造とすると、制御情報３１，３２，３４，３５を番組情報３０のＶＢＩ等を用いた場合に、従来の録画・再生装置でも再生することができ、この場合、ＣＭ映像３３が予定再生時間通りに再生されることを担保することができない。そこで、本映像３６にスクランブルをかけて、所定の処理を行ってスクランブルを解除しないと本映像３６を再生できない（画像等が認識できるように再生できない）方法について、図５及び図６を用いて第２実施例として説明する。なお、録画・再生装置１０の構造については、第１実施例の場合（図２）と同様である。
【００２５】
まず、本第２実施例に係るデータ構造（番組情報３０′）は、図４に示すように、開始情報３１、ＣＭ属性情報３２、ＣＭ映像３３、本映像のスクランブルを解除するための鍵情報３７、終了情報３４、本属性情報３５、及び、スクランブルされた本映像３６′とから構成される。図５に示すように、制御部１６が開始情報３１によりＣＭ映像３３の再生開始を検出すると（Ｓ２００）、ＣＭ属性情報３２から予定再生時間を取得する（Ｓ２０１）。そして、ＣＭ映像３３を再生部１７で再生するとともに再生時間計測部１８でその実再生時間を計測する（Ｓ２０２）。ＣＭ映像３３の再生が終わり、制御部１６が鍵情報３６を取得して終了情報３４を検出すると（Ｓ２０３）、実再生時間と予定再生時間とを比較する（Ｓ２０４）。実再生時間と予定再生時間とが一致した場合は、制御部１６は、ＣＭ属性３２に設定された番組コード３２ａと本属性情報３５に設定された番組コード３５ａとを比較し（Ｓ２０５）、一致した場合に、鍵情報３６に基づいてスクランブルされた本映像３６′からスクランブルを解除し（Ｓ２０６）、再生部１７で本映像を再生する（Ｓ２０７）。反対に、実再生時間と予定再生時間が不一致の場合や番組コード３２ａ，３５ａが不一致の場合は、第１実施例と同様に、エラー表示を行う（Ｓ２０８）。
【００２６】
このように、本映像３６に対してスクランブルを掛けることにより、このスクランブルを解除する機能を有する本実施例に係る録画・再生装置１０のみによって、本映像を再生することができるため、不正な手段により本映像３６が再生されることを防止し、番組製作者等はＣＭ映像が予定再生時間の通りに再生されることを担保することができる。
【００２７】
なお、以上の第１及び第２実施例においては、録画された番組情報を再生するときは必ずＣＭ映像３３を決まった時間通りに再生しないと本映像３６（３６′）を再生することができないように構成された場合を示しているが、各番組の再生回数を制御部１６でＨＤＤ１４に記憶しておき、所定の回数再生した以降は、制御部１６により、ＣＭ映像３３を再生しなくても（早送りで飛ばしても）本映像３６（３６′）を再生可能なように構成することも可能であるし、ＣＭ映像３３の部分をＨＤＤ１４から削除していつでも本映像３６（３６′）を再生可能なように構成することも可能である。
【図面の簡単な説明】
【００２８】
【図１】本発明の第１実施例に係る番組情報のデータ構造図である。
【図２】本発明に係る録画・再生装置の機能を示すブロック図である。
【図３】第１実施例に係るフローチャートである。
【図４】第１実施例において本属性情報を複数有する場合のデータ構造図である。
【図５】本発明の第２実施例に係る番組情報のデータ構造図である。
【図６】第２実施例に係るフローチャートである。
【符号の説明】
【００２９】
１０  録画・再生装置
１４  ＨＤＤ（記憶部）
１５  読み出し部
１６  制御部
１７  再生部
３０  番組情報
３２  ＣＭ属性情報
３２ａ  番組コード
３３  ＣＭ映像
３５  本属性情報
３５ａ  番組コード
３６  本映像
３６′  スクランブルされた本映像
【図１】
2006054792.tif 000003
【図２】
2006054792.tif 000004
【図３】
2006054792.tif 000005
【図４】
2006054792.tif 000006
【図５】
2006054792.tif 000007
【図６】
2006054792.tif 000008